(57)【要約】【課題】動画像のタイル間の境界を目立たなくして高画質な動画像を再生することが可能な動画像処理装置および動画像処理方法を提供すること。【解決手段】本発明の動画像装置および動画像処理方法を適用した電子スチルカメラでは、圧縮伸張部１０６は、動画を撮影する際に、入力部で撮影された動画像データを構成する各フレームの画像データを夫々複数のタイルに分割し、各タイル毎に画像データをの圧縮処理を行う。その際、各フレームの画像データの境界を他のフレームの画像データのタイルの境界と重ならないようにして、動画像のタイル間の境界を目立たなくして高画質な動画像を再生する。【選択図】　　　図１
2004032799.tif 000002
【特許請求の範囲】
【請求項１】
動画像データを符号化する動画像処理装置において、
前記動画像データを構成する各フレームの画像データを各々複数の領域に分割する分割手段と、
前記各フレームの画像データを前記分割手段で分割された領域毎に符号化する符号化手段と、を備え、
前記分割手段は、前記領域の境界位置を可変としたことを特徴とする動画像処理装置。
【請求項２】
動画像データを符号化する動画像処理装置において、
前記動画像データを構成する各フレームの画像データを各々複数のタイルに分割する分割手段と、
前記各フレームの画像データを前記分割手段で分割されたタイル毎に符号化する符号化手段と、を備え、
前記分割手段は、各フレームの画像データのタイルの境界を、他のフレームの画像データのタイルの境界と重ならないようにしたことを特徴とする動画像処理装置。
【請求項３】
前記分割手段は、前記タイルのサイズを固定とし、前記タイルの分割位置を前記各フレーム毎に、ランダムに変更することを特徴とする請求項２に記載の動画像処理装置。
【請求項４】
前記分割手段は、前記タイルのサイズを前記各フレーム毎に変更することを特徴とする請求項２に記載の動画像処理装置。
【請求項５】
前記分割手段は、前記各フレームの画像データを異なる素数でタイル分割したこと特徴とする請求項２に記載の動画像処理装置。
【請求項６】
さらに、前記動画像データを構成する互いにタイルの境界が重ならない各フレームの画像データのうちの複数のフレームの画像データに基づいて、静止画像データを合成する合成手段を備えたことを特徴とする請求項２〜請求項５のいずれか１つに記載の動画像処理装置。
【請求項７】
動画像データを符号化する動画像処理方法において、
前記動画像データを構成する各フレームの画像データを各々複数の領域に分割する分割工程と、
前記各フレームの画像データを前記分割された領域毎に符号化する符号化工程と、を含み、
前記分割工程では、前記領域の境界位置を可変としたことを特徴とする動画像処理方法。
【請求項８】
動画像データを符号化する動画像処理方法において、
前記動画像データを構成する各フレームの画像データを各々複数のタイルに分割する分割工程と、
前記各フレームの画像データを前記分割されたタイル毎に符号化する符号化工程と、を含み、
前記分割工程では、各フレームの画像データのタイルの境界を、他のフレームの画像データのタイルの境界と重ならないようにしたことを特徴とする動画像処理方法。
【請求項９】
前記分割工程では、前記タイルのサイズを固定とし、前記タイルの分割位置を前記各フレーム毎に、ランダムに変更することを特徴とする請求項８に記載の動画像処理方法。
【請求項１０】
前記分割工程では、前記タイルのサイズを前記各フレーム毎に変更することを特徴とする請求項８に記載の動画像処理方法。
【請求項１１】
前記分割工程では、前記各フレームの画像データを異なる素数でタイル分割したことを特徴とする請求項８に記載の動画像処理方法。
【請求項１２】
さらに、前記動画像データを構成する互いにタイルの境界が重ならない各フレームの画像データのうちの複数のフレームの画像データに基づいて、静止画像データを合成する合成工程を含むことを特徴とする請求項８〜請求項１１のいずれか１つに記載の動画像処理方法。
【発明の詳細な説明】
【０００１】
【発明の属する技術分野】
この発明は、動画像処理装置および動画像処理方法に関し、詳細には、動画像データを符号化する動画像処理装置および動画像処理方法に関する。
【０００２】
【従来の技術】
従来より動画撮影が可能な電子スチルカメラが知られている。従来の一般的な電子スチルカメラのブロック図を図９に示す。同図において、レリーズボタン２０８が押下されると、レンズ２０１を介してＣＣＤ（撮像素子）２０２により被写体の画像データが取り込まれ、つづいて、この画像データはアナログ部２０３でアナログ信号処理され、Ａ／Ｄ変換器２０４でデジタル画像データに変換される。
【０００３】
つぎに、このデジタル画像データは、圧縮伸長部２０５において圧縮処理用メモリ２０９を介してデータ圧縮され、圧縮された圧縮画像データは、画像圧縮データメモリ２０７に格納される。また、モニタ２０６には、入力部（レンズ２０１，ＣＣＤ２０２、アナログ部２０３、Ａ／Ｄ変換器２０４）から入力された画像データに基づく画像や、画像データメモリ２０７に格納された圧縮画像データを圧縮伸長部２０９により伸長した画像データに基づく画像が表示される。
【０００４】
上記構成においては、動画を撮影する場合に、圧縮処理のときの圧縮伸長部２０５と圧縮処理用メモリ２０９とのアクセス時間が、符号化処理に要する時間より長くなり、高速に動画を撮影することができないという問題がある。
【０００５】
そこで、従来、圧縮処理用メモリをシステムボードに置かないで、圧縮処理チップ内に持たせてアクセス時間の短縮を図る方法が提案されている。しかるに、有限な圧縮処理チップ内に１画像分のメモリを持たせることは技術的にもコスト的にも難しい。
【０００６】
従って、画像フレーム（１画像）を複数のタイル、具体的には、例えば、図１０に示すような四角い複数のエリアに分割し、各タイル毎に圧縮処理するためにタイル分のメモリを圧縮処理チップに搭載させているのが現状である。
【０００７】
上記した画像フレームを複数のタイルに分割する方法では、圧縮処理用メモリとのアクセス時間を符号化時間より短くすることができ動画機能を十分引き出すことが可能である。他方、動画機能を達成するためには、数枚から数十枚／秒で画像を処理する必要があるため圧縮率を上げる必要がある。
【０００８】
【発明が解決しようとする課題】
しかしながら、上記した画像フレームを複数のタイルに分割する方法では、動画を撮影する場合に画像フレームを各タイル毎に処理しているため、動画を再生した場合に、タイル間の境界が見えてしまい高画質な動画像を表示できないという問題がある。
【０００９】
本発明は、上記に鑑みてなされたものであり、動画像のタイル間の境界を目立たなくした高画質な動画像を表示することが可能な動画像処理装置および動画像処理方法を提供することを目的とする。
【００１０】
【課題を解決するための手段】
上記課題を解決するために、請求項１にかかる発明は、動画像データを符号化する動画像処理装置において、前記動画像データを構成する各フレームの画像データを各々複数の領域に分割する分割手段と、前記各フレームの画像データを前記分割手段で分割された領域毎に符号化する符号化手段と、を備え、前記分割手段は、前記領域の境界位置を可変としたことを特徴とする。
【００１１】
また、請求項２にかかる発明は、動画像データを符号化する動画像処理装置において、前記動画像データを構成する各フレームの画像データを各々複数のタイルに分割する分割手段と、前記各フレームの画像データを前記分割手段で分割されたタイル毎に符号化する符号化手段と、を備え、前記分割手段は、各フレームの画像データのタイルの境界を、他のフレームの画像データのタイルの境界と重ならないようにしたことを特徴とする。
【００１２】
また、請求項３にかかる発明は、請求項２にかかる発明において、前記分割手段は、前記タイルのサイズを固定とし、前記タイルの分割位置を前記各フレーム毎に、ランダムに変更することを特徴とする。
【００１３】
また、請求項４にかかる発明は、請求項２にかかる発明において、前記分割手段は、前記タイルのサイズを前記各フレーム毎に変更することを特徴とする。
【００１４】
また、請求項５にかかる発明は、請求項２にかかる発明において、前記分割手段は、前記各フレームの画像データを異なる素数でタイル分割したことを特徴とする。
【００１５】
また、請求項６にかかる発明は、請求項２〜請求項５のいずれか１つにかかる発明において、さらに、前記動画像データを構成する互いにタイルの境界が重ならない各フレームの画像データのうちの複数のフレームの画像データに基づいて、静止画像データを合成する合成手段を備えたことを特徴とする。
【００１６】
また、請求項７にかかる発明は、動画像データを符号化する動画像処理方法において、前記動画像データを構成する各フレームの画像データを各々複数の領域に分割する分割工程と、前記各フレームの画像データを前記分割された領域毎に符号化する符号化工程と、を含み、前記分割工程では、前記領域の境界位置を可変としたことを特徴とする。
【００１７】
また、請求項８にかかる発明は、動画像データを符号化する動画像処理方法において、前記動画像データを構成する各フレームの画像データを各々複数のタイルに分割する分割工程と、前記各フレームの画像データを前記分割されたタイル毎に符号化する符号化工程と、を含み、前記分割工程では、各フレームの画像データのタイルの境界を、他のフレームの画像データのタイルの境界と重ならないようにしたことを特徴とする。
【００１８】
また、請求項９にかかる発明は、請求項８にかかる発明において、前記分割工程では、前記タイルのサイズを固定とし、前記タイルの分割位置を前記各フレーム毎に、ランダムに変更することを特徴とする。
【００１９】
また、請求項１０にかかる発明は、請求項８にかかる発明において、前記分割工程では、前記タイルのサイズを前記各フレーム毎に変更することを特徴とする。
【００２０】
また、請求項１１にかかる発明は、請求項８にかかる発明において、前記分割工程では、前記各フレームの画像データを異なる素数でタイル分割したことを特徴とする。
【００２１】
また、請求項１２にかかる発明は、請求項８〜請求項１１のいずれか１つにかかる発明において、さらに、前記動画像データを構成する互いにタイルの境界が重ならない各フレームの画像データのうちの複数のフレームの画像データに基づいて、静止画像データを合成する合成工程を含むことを特徴とする。
【００２２】
【発明の実施の形態】
以下に添付図面を参照して、この発明にかかる動画像処理装置および動画像処理方法を提供した電子スチルカメラの好適な実施の形態を詳細に説明する。
【００２３】
図１は、本実施の形態にかかる電子スチルカメラの構成を示すブロック図である。同図に示す如く、電子スチルカメラは、レンズ１０１、ＣＣＤ（撮像素子）１０２、アナログ部１０３、Ａ／Ｄ変換器１０４、コントローラ部１０５、圧縮伸長部１０６、モニタ１０７、画像データメモリ１０８、圧縮処理用メモリ１０９、操作部１１０、およびソフト用メモリ１１１とを備える。
【００２４】
レンズ１０１は、被写体の被写体の反射光を撮像素子１０２の撮像画面上に結像する。ＣＣＤ（撮像素子）１０２は、撮像画面上に結像された被写体像をアナログ画像データに変換して出力する。アナログ部１０３は、入力されるアナログ画像データを信号処理して出力する。Ａ／Ｄ変換器１０４は、アナログ部１０３から入力されるアナログ画像データをデジタル画像データに変換して出力する。
これらレンズ１０１、撮像素子１０２、アナログ部１０３、およびＡ／Ｄ変換器１０４は、入力部を構成する。
【００２５】
コントローラ部１０５は、ＣＰＵやＲＡＭ等からなり、操作部１１０の操作内容に応じて、ソフト用メモリ１１１に格納された制御プログラムに従い電子スチルカメラの各部の動作を制御する。
【００２６】
圧縮伸長部１０６は、デジタル画像データの圧縮・伸長処理を行う。圧縮処理用メモリ１０９は、コントローラ部１０５を介して入力されるデジタル画像データを１フレーム分格納する。具体的には、圧縮伸長部１０６は、圧縮処理用メモリ１０９に格納される１フレームの画像データを複数のタイル（領域）に分割し、当該分割した各タイル毎に画像データを読み出して圧縮処理する。画像データメモリ１０８には、圧縮伸長部１０６で圧縮された圧縮画像データが格納される。モニタ１０７は、例えば、液晶パネル等からなり、入力部から入力された画像データに基づく画像や、画像データメモリ１０８に格納された圧縮画像データを圧縮伸長部１０６により伸長した画像データに基づく画像が表示される。
【００２７】
上記操作部１１０は、ユーザーの操作により電子スチルカメラの動作指示をコントローラ部１０５に与えるためのものであり、被写体の撮影を指示するレリーズボタン１１０ａ、画像のモニタ１０７への再生を指示する再生ボタン１１０ｂ、電子カメラの撮影条件｛絞り値、圧縮条件（例えば、高画質モード／通常画質モード）、撮影モード（動画モード／静止画モード）等｝を設定するためのキー、動画撮影する場合に、画像フレームを分割するタイルサイズ等を設定するためのキー等を備えている。
【００２８】
ソフト用メモリ１１１は、例えば、ＣＤ−ＲＯＭ、ＨＤＤ、ＦＤ、ＭＤ、半導体ＲＯＭ等からなり、コントローラ部１０５を動作させるための制御プログラムを格納する。
【００２９】
つぎに、上記電子スチルカメラの動作を説明する。図２は電子スチルカメラの全体動作を説明するためのフローチャート、図３は図２の撮影処理を説明するためのフローチャート、図４は図２の再生処理を説明するためのフローチャートである。
【００３０】
電子スチルカメラの全体動作を図２を参照して説明する。図２において、まず、電子スチルカメラの電源がＯＮされると、コントローラ部１０５は、ソフト用メモリ１１１から制御プログラムを呼び出す（ステップＳ１００）。以後、コントローラ部１０５は読み出した制御プログラムに従って電子スチルカメラの各部の動作を制御する。
【００３１】
つづいて、ユーザーにより、撮影／再生の選択が行われ（ステップＳ１０１）、撮影が選択される場合にはステップＳ１０２に移行して撮影処理（図３参照）が行われ、また、再生が選択される場合にはステップＳ１０３の再生処理（図４参照）が行われる。そして、撮影処理もしくは再生処理が行われた後に、電源がＯＦＦされたか否かを判断し（ステップＳ１０４）、電源がＯＦＦ選択されていない場合はステップＳ１０１に戻る一方、電源がＯＦＦ選択された場合には、当該フローを終了する。
【００３２】
つぎに、図３を参照して上記図２の撮影処理（ステップＳ１０２）を説明する。図３において、まず、ユーザーの操作部１１０の操作により撮影条件｛絞り値、圧縮条件（例えば、高画質モード／通常画質モード）、撮影モード（動画モード／静止画モード）の選択等｝の設定が行われる（ステップＳ１００）。そして、動画モード／静止画モードのいずれが選択されたか判断し（ステップＳ１１１）、静止画モードが選択された場合にはステップＳ１１２に移行する一方、動画モードが選択された場合にはステップＳ１１４に移行する。なお、デフォルトでは静止画モードが設定されている。以下、静止画モードと動画モードの場合の処理をそれぞれ説明する。
【００３３】
静止画モードが選択された場合には、ステップＳ１１２で、ユーザーの操作部１１０の操作により取込枚数が設定される。なお、デフォルトでは取込枚数は１枚が設定されている。つづいて、コントローラ部１０５は、画像フレームを分割するタイルの形状を設定する（ステップＳ１１３）。そして、ユーザーによりレリーズボタン１１０ａがＯＮされると（ステップＳ１１８）、入力部で画像データの取込が行われ（ステップＳ１１９）、圧縮処理用メモリ１０９に画像データが１フレーム分格納される。そして、圧縮伸長部１０９は、圧縮処理用メモリ２０９に格納された１フレーム分の画像データを、上記ステップＳ１１３で設定されたタイルに分割し、分割した各タイル毎に画像データを読み出して、設定された圧縮条件に従って圧縮処理を行う（ステップＳ１２０）。この圧縮処理された圧縮画像データは、圧縮条件、撮影条件（撮像モード）、およびタイルの条件等と共に画像データメモリ１０８に記録される（ステップＳ１２１）。
【００３４】
動画モードが選択された場合には、ステップＳ１１４で、ユーザーの操作部１１０の操作により取込条件が設定される。取込条件としては、例えば、取込枚数、撮影時間、もしくはレリーズキー１１０ａを押している間の撮影のいずれか１つから選択される。
【００３５】
そして、ユーザーの操作部１１０の操作により、画像データを圧縮処理する際の画像フレームのタイルの位置もしくはサイズの選択が行われる（ステップＳ１１５）。なお、デフォルトでは、タイルの位置が選択されており、タイトルサイズ固定となっているので、タイルの位置をずらすことになる。
【００３６】
ステップＳ１１５で、タイルの位置が選択された場合には、タイルの形状と移動割合の設定が行われる（ステップＳ１１６）。なお、デフォルトでは、形状として、１２８×１２８ピクセルの正方形が設定されており、また、移動割合としては±５０％ｍａｘが設定されている。そして、コントローラ部１０５の乱数発生部から乱数を発生させ、撮像すべき動画像データを構成する各フレームの画像データのタイルの境界が互いに重ならないように、各フレームのタイルの移動方向と移動量をランダムに自動設定する（ステップＳ１１７）。
【００３７】
なお、タイルサイズの設定にもよるが、例えば、設定タイルサイズが１２８×１２８ピクセルの場合、位置移動の範囲は±５０％ｍａｘ（タイルサイズ１辺に対し）が望ましい。また、タイルは、できるだけランダムにばらしたほうが視覚としては確認しづらくなる。例えば、±５％程度であると、タイルの境目がぼやーっと帯状に見える。
【００３８】
他方、ステップＳ１１５で、タイルのサイズが選択された場合には、形状とサイズの変化量の設定が行われる（ステップＳ１２２）。なお、デフォルトでは、形状として、１２８×１２８ピクセルの正方形が設定されており、また、サイズ変化量として２５％ｍａｘが設定されている。そして、コントローラ部１０５の乱数発生部から乱数を発生させ、撮像すべき動画像データを構成する各フレームの画像データのタイルの境界が互いに重ならないように、各フレームのタイルのサイズをランダムに自動設定する（ステップＳ１２３）。
【００３９】
なお、サイズの範囲は、２０％ｍａｘ〜３０％ｍａｘ（設定サイズに対し縮小する方向に１辺あたり）が望ましい。変化率が小さすぎると一部分に前述と同様に帯状になる部分が見えるようになるためである。また、変化率が大きすぎると、タイル数が多くなりタイルサイズの変化が目につきやすくなり、さらに、タイルにはヘッダーがついているため圧縮率が悪くなる。また、タイルサイズの設定サイズは、６４〜２５６ピクセル（１辺）程度が望ましく、圧縮率と画質の程度から考慮すると、１２８ピクセル（１辺）程度がより望ましい。
【００４０】
そして、ステップＳ１１８では、ユーザーによりレリーズボタン１１０ａがＯＮされると、入力部で動画像データ（複数フレームの画像データ）の取込が順次行われ（ステップＳ１１９）、圧縮処理用メモリ１０９に各フレームの画像データが順次格納される。そして、圧縮伸長部１０６は、圧縮処理用メモリ１０９に格納された１フレーム分の画像データを、上記で自動設定されたタイルの位置／サイズで複数のタイルに分割し、分割した各タイル毎に画像データを読み出して圧縮処理を行う（ステップＳ１２０）。この圧縮処理は各フレーム毎に順次行われる。この圧縮処理された圧縮画像データは、圧縮条件、撮像モード、およびタイルの位置／サイズ等と共に画像データメモリ１０８に記録される（ステップＳ１２１）。
【００４１】
つぎに、図４を参照して上記図２の再生処理（ステップＳ１０３）を説明する。図４において、画像データメモリ１０８に格納された圧縮画像データうち再生すべき画像が指定され、再生ボタン１１０ｂが押下されると（ステップＳ１３０）、コントローラ部１０５は、圧縮データメモリ１０８から当該指定された画像の撮影した際に記録された圧縮条件、動画モード／静止画モード等の撮影モード、タイルのサイズ、タイルの位置情報を読み出す（ステップＳ１３１〜Ｓ１３４）。そして、圧縮データメモリ１０８から圧縮画像データを読み出して（ステップＳ１３５）、圧縮伸長部１０６で伸長処理し（ステップＳ１３６）、当該伸長した画像データに応じた画像をモニタ１０７に表示する（ステップＳ１３７）。
【００４２】
なお、動画の場合、表示された画像のうち静止画として保存したい画像部分を静止画として保存することが可能である。
【００４３】
つぎに、動画モードにおける各画像フレームのタイル分割の方法の具体例を図５および図６を参照して説明する。図５はタイルサイズを固定とし、タイルの分割位置を取り込む画像の一枚毎に、ランダムに変更する場合を説明するための説明図である（上記図３のステップＳ１１６、Ｓ１１７に対応）。同図において、外枠は画像の１フレームを表しており、格子状になっているものの１単位がタイルであり、また、黒丸は、タイルの境界位置の移動をわかりやすく説明するためのものである。また、点線は、１枚目の画像のタイル分割の境界線を示す。
【００４４】
同図において、例えば、１枚目の画像を（ａ）に示すようにタイル分割する。そして、２枚目の画像を（ｂ）に示すように、１枚目の画像のタイル分割（ａ）に対して、タイル分割の境界線を右上にずらすようにタイル分割する。
【００４５】
ついで、３枚目の画像を（ｃ）に示すように、１枚目の画像のタイル分割（ａ）に対して、タイル分割の境界線を左下にずらすようにタイル分割する。そして、４枚目の画像を（ｄ）に示すように、１枚目の画像のタイル分割（ａ）に対して、タイル分割の境界線を左右にずらすようにタイル分割する。さらに、５枚目以降も同様に、タイル分割の境界が他の画像のタイル分割の境界と重ならないようにランダムにずらすようにしてタイル分割する。
【００４６】
このように、各画像フレームのタイル分割の境界線を重ならないようにランダムにずらすこととしたので、動画を再生する場合に、画面が連続して素早く変わるため、人間の目にはタイルの境界線がはっきりと見えなくなり、タイルの境界線の違和感を無くすことができる。
【００４７】
図６は、タイルサイズを、取り込む画像の１枚毎にランダムに変える場合を説明するための説明図である（上記図３のステップＳ１２２、Ｓ１２３に対応）。同図において、外枠は画像の１フレームを表しており、格子状になっているものの１単位がタイルであり、また、点線は、１枚目の画像のタイル分割の境界線を示す。
【００４８】
同図において、例えば、１枚目の画像を（ａ）に示すようにタイル分割し、そして、２枚目の画像を（ｂ）に示すように、１枚目の画像のタイル分割（ａ）に対して、タイル分割の境界線が重ならないようにタイルサイズを変えてタイル分割する。
【００４９】
つづいて、３枚目の画像を（ｃ）に示すように、タイル分割の境界線を前の２枚の画像のタイル分割の境界線と重ならないようにタイルサイズを変えてタイル分割する。そして、４枚目の画像を（ｄ）に示すように、タイル分割の境界線を前の３枚の画像のタイル分割の境界線と重ならないようにタイルサイズを変えてタイル分割する。さらに、５枚目以降も同様にタイル分割の境界が以前の画像とできるだけ重ならないようにタイルサイズを変えてタイルを分割する。
【００５０】
このように、各画像フレームのタイル分割の境界線が重ならないように、ランダムにタイルサイズを変えてタイル分割することとしたので、動画を再生する場合に画面が連続して素早く変わるため、人間の目にはタイルの境界線がはっきりとは見えなくなり、タイルの境界線の違和感を無くすことができる。
【００５１】
なお、上記図５および図６では、各フレームのタイルの境界線が互いに重ならないようにするために、タイルの位置／サイズを変更する例を挙げて説明したが、本発明はこれに限れられるものではないことは言うまでもない。例えば、タイルの位置の変更（図５）とタイルのサイズの変更（図６）を組み合わせても良い。要は、各フレームのタイルの境界線が互いに重ならないように各フレームをタイル分割すれば良い。
【００５２】
ところで、動画では、図５や図６で説明した方法が有効であるが、静止画の場合は、通常１枚であるため動画のように圧縮率が高いとタイルの境界は見えてしまう。はじめから静止画として取り込む場合には、タイルの境界を見えない程度にデータ圧縮率を設定して圧縮すれば良いが、使用状況によっては、動画の中から静止画として取り出したい場合もある。そこで、そのような静止画を得るには、動画モードで撮影されたタイル分割方法の異なる複数枚の画像を用いて静止画を作成する。以下、動画像を構成する、タイル分割方法の異なる複数枚の画像を用いて静止画を作成する場合を図７および図８を参照して説明する。
【００５３】
図７は、動画モードにおいて、タイルサイズを固定とし、タイルの分割位置を取り込む画像を一枚毎に、ランダムに変更して連続撮像した複数枚の画像を合成して静止画を作成する場合を説明するための説明図である。同図において、外枠は画像の１フレームを表しており、格子状になっているものの１単位がタイルであり、また、点線は、１枚目の画像のタイル分割の境界線を示す。
【００５４】
図７において、例えば、各フレームのタイルの境界がそれぞれ重ならないように連続撮像した１枚目の画像（ａ）、２枚目の画像（ｂ）、および３枚目の画像（ｃ）を合成（例えば、平均化処理）して新たな静止画（ｄ）を作成する。
【００５５】
このように、動画撮影したタイル境界線が互いに重なっていない複数の画像を用いて静止画を合成することとしたので、合成した静止画を再生する場合に、人間の目にはタイルの境界線がはっきりとは見えなくなり、タイルの境界線の違和感を無くすことができる。
【００５６】
図８は、動画モードで、各画像フレームのタイルサイズをそれぞれ異なる素数で分割して連続撮像した複数枚の画像を合成して静止画を作成する場合を説明するための説明図である。同図において、外枠は画像の１フレームを表しており、格子状になっているものの１単位がタイルであり、また、点線は、１枚目の画像のタイル分割の境界線を示す。
【００５７】
図８において、例えば、タイルを、１枚目の画像は（ａ）に示すように各辺を３分割、２枚目の画像は（ｂ）に示すようには各辺を７分割、３枚目の画像は（ｃ）に示すように各辺を５分割して連続撮像する。そして、これら３枚の画像を合成（例えば平均化処理）して（ｄ）に示すような新たな静止画を作成する。１〜３枚目の画像は、タイル分割を各フレームに対し異なる素数（３，５、７）で行っているため互いのタイルの境界線は重ならないことになる。従って、合成画像（ｄ）のタイル分割の境界線は重ならないことになる。
【００５８】
このように、動画撮影したタイル境界線が互いに重なっていない複数の画像を用いて静止画を合成することとしたので、合成した静止画を再生する場合に、人間の目にはタイルの境界線がはっきりとは見えなくなり、タイルの境界線の違和感を無くすことができる。
【００５９】
なお、上記図７および図８においては、説明を簡単にするために、３フレーム（３枚）の画像を用いて静止画を合成する例を説明したが、静止画を合成する画像の数はこれに限定されないことは言うまでもない。また、静止画を合成する際に使用される画像のタイル分割方法は、上記図７および図８で示した方法に限定されるものではない。要は、合成の元になる各画像のタイルの境界線が互いに重ならないものではあれば如何なるタイル分割方法で分割された画像を用いても良い。また、図７、図８での説明では動画モードで説明したが、静止画モードで取込枚数を複数枚に設定したときにも使えることはいうまでもない。
【００６０】
なお、本発明は上記した実施の形態に限定されるものではなく、発明の要旨を変更しない範囲で適宜変更可能である。
【００６１】
【発明の効果】
請求項１にかかる動画像処理装置によれば、動画像データを符号化する動画像処理装置において、前記動画像データを構成する各フレームの画像データを各々複数の領域に分割する分割手段と、前記各フレームの画像データを前記分割手段で分割された領域毎に符号化する符号化手段と、を備え、前記分割手段は、前記領域の境界位置を可変としたので、動画を表示する際に、分割した領域の境界線を見えにくくして違和感を無くすことが可能となり、高画質の動画を再生することが可能となる。
【００６２】
また、請求項２にかかる動画像処理装置によれば、動画像データを符号化する動画像処理装置において、前記動画像データを構成する各フレームの画像データを各々複数のタイルに分割する分割手段と、前記各フレームの画像データを前記分割手段で分割されたタイル毎に符号化する符号化手段と、を備え、前記分割手段は、各フレームの画像データのタイルの境界を、他のフレームの画像データのタイルの境界と重ならないようにしたので、動画を表示する際に、タイルの境界線を見えにくくして違和感を無くすことが可能となり、高画質の動画を再生することが可能となる。
【００６３】
また、請求項３にかかる動画像処理装置によれば、請求項２にかかる発明において、前記分割手段は、前記タイルのサイズを固定とし、前記タイルの分割位置を前記各フレーム毎に、ランダムに変更することとしたので、動画を表示する際に、よりタイルの境界線を見えにくくすることが可能となる。
【００６４】
また、請求項４にかかる動画像処理装置によれば、請求項２にかかる発明において、前記分割手段は、前記タイルのサイズを前記各フレーム毎に変更することとしたので、動画を表示する際に、よりタイルの境界線を見えにくくすることが可能となる。
【００６５】
また、請求項５にかかる動画像処理装置によれば、請求項２にかかる発明において、前記分割手段は、前記各フレームの画像データを異なる素数でタイル分割したので、動画を表示する際に、よりタイルの境界線を見えにくくすることが可能となる。
【００６６】
また、請求項６にかかる動画像処理装置によれば、請求項２〜請求項５のいずれか１つにかかる発明において、さらに、前記動画像データを構成する互いにタイルの境界が重ならない各フレームの画像データのうちの複数のフレームの画像データに基づいて、静止画像データを合成する合成手段を備えたこととしたので、動画に基づいて作成した静止画を再生した場合に、タイルの境界線を見えにくくして違和感を無くすことができ、高画質の静止画を再生することが可能となる。
【００６７】
また、請求項７にかかる動画像処理方法によれば、動画像データを符号化する動画像処理方法において、前記動画像データを構成する各フレームの画像データを各々複数の領域に分割する分割工程と、前記各フレームの画像データを前記分割された領域毎に符号化する符号化工程と、を含み、前記分割工程では、前記領域の境界位置を可変としたので、動画を表示する際に、分割した領域の境界線を見えにくくして違和感を無くすことが可能となり、高画質の動画を再生することが可能となる。
【００６８】
また、請求項８にかかる動画像処理方法によれば、動画像データを符号化する動画像処理方法において、前記動画像データを構成する各フレームの画像データを各々複数のタイルに分割する分割工程と、前記各フレームの画像データを前記分割されたタイル毎に符号化する符号化工程と、を含み、前記分割工程では、各フレームの画像データのタイルの境界を、他のフレームの画像データのタイルの境界と重ならないようにしたので、動画を表示する際に、タイルの境界線を見えにくくして違和感を無くすことが可能となり、高画質の動画を再生することが可能となる。
【００６９】
また、請求項９にかかる動画像処理方法によれば、請求項８にかかる発明において、前記分割工程では、前記タイルのサイズを固定とし、前記タイルの分割位置を前記各フレーム毎に、ランダムに変更することとしたので、動画を表示する際に、よりタイルの境界線を見えにくくすることが可能となる。
【００７０】
また、請求項１０にかかる動画像処理方法によれば、請求項８にかかる発明において、前記分割工程では、前記タイルのサイズを前記各フレーム毎に変更することとしたので、動画を表示する際に、よりタイルの境界線を見えにくくすることが可能となる。
【００７１】
また、請求項１１にかかる動画像処理方法によれば、請求項８にかかる発明において、前記分割工程では、前記各フレームの画像データを異なる素数でタイル分割したので、動画を表示する際に、よりタイルの境界線を見えにくくすることが可能となる。
【００７２】
また、請求項１２にかかる動画像処理方法によれば、請求項８〜請求項１１のいずれか１つにかかる発明において、さらに、前記動画像データを構成する互いにタイルの境界が重ならない各フレームの画像データのうちの複数のフレームの画像データに基づいて、静止画像データを合成する合成工程を含むこととしたので、動画に基づいて作成した静止画を再生した場合に、タイルの境界線を見えにくくして違和感を無くすことができ、高画質の静止画を再生することが可能となる。
【図面の簡単な説明】
【図１】本実施の形態にかかる電子スチルカメラの構成を示すブロック図である。
【図２】図１の電子スチルカメラの全体動作を説明するためのフローチャートである。
【図３】図２のフローチャートの撮影処理を説明するためのフローチャートである。
【図４】図２のフローチャートの再生処理を説明するためのフローチャートである。
【図５】動画撮像モードにおける各画像フレームのタイル分割の方法の具体例を説明するための説明図（その１）である。
【図６】動画撮像モードにおける各画像フレームのタイル分割の方法の具体例を説明するための説明図（その２）である。
【図７】動画像を構成する、タイル分割方法の異なる複数枚の画像を用いて静止画を作成する場合を説明するための説明図（その１）である。
【図８】動画像を構成する、タイル分割方法の異なる複数枚の画像を用いて静止画を作成する場合を説明するための説明図（その２）である。
【図９】従来の一般的な電子スチルカメラのブロック図である。
【図１０】従来の画像フレームのタイルの分割方法を説明するための説明図である。
【符号の説明】
１０１　　レンズ
１０２　　ＣＣＤ（撮像素子）
１０３　　アナログ部
１０４　　Ａ／Ｄ変換器
１０５　　コントローラ部
１０６　　圧縮伸長部
１０７　　モニタ
１０８　　画像データメモリ
１０９　　圧縮処理用メモリ
１１０　　操作部
１１１　　ソフト用メモリ
【図１】
2004032799.tif 000003
【図２】
2004032799.tif 000004
【図３】
2004032799.tif 000005
【図４】
2004032799.tif 000006
【図５】
2004032799.tif 000007
【図６】
2004032799.tif 000008
【図７】
2004032799.tif 000009
【図８】
2004032799.tif 000010
【図９】
2004032799.tif 000011
【図１０】
2004032799.tif 000012